【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
入力無線周波数（ＲＦ）信号を受信するように構成された少なくとも１つの利得トランジスタと、
前記少なくとも１つの利得トランジスタに結合され、複数の帯域グループのうちの１つのための出力ＲＦ信号を供給するように構成された、前記複数の帯域グループのための複数のカスコードトランジスタと、
前記複数の帯域グループのために複数の利得トランジスタを備える前記少なくとも１つの利得トランジスタと、
異なるトランジスタのサイズ、または異なるバイアス電流、または両方を有する前記複数の利得トランジスタと、
を備える、装置。
【請求項２】
前記複数の利得トランジスタと回路接地とに結合された複数のタップを備えるインダクタ
をさらに備える、請求項１に記載の装置。
【請求項３】
前記複数の利得トランジスタと回路接地との間で結合された複数のインダクタ
をさらに備える、請求項１に記載の装置。
【請求項４】
前記複数のカスコードトランジスタのうちの少なくとも１つと前記少なくとも１つの利得トランジスタとの間で結合されたフィードバック回路
をさらに備える、請求項１に記載の装置。
【請求項５】
前記少なくとも１つの利得トランジスタに結合され、受信されたＲＦ信号を受信することと、前記入力ＲＦ信号を供給することとを行うように構成された、調節可能な整合回路
をさらに備える、請求項１に記載の装置。
【請求項６】
前記複数のカスコードトランジスタに結合された複数の変圧器をさらに備え、前記複数の変圧器の各々は、前記複数の帯域グループのうちの１つのために使用される、請求項１に記載の装置。
【請求項７】
前記少なくとも１つの利得トランジスタは、第１の帯域グループのための第１の利得トランジスタと、第２の帯域グループのための第２の利得トランジスタとを備え、前記複数のカスコードトランジスタは、前記第１の帯域グループのための第１のカスコードトランジスタと前記第２の帯域グループのための第２のカスコードトランジスタとを備える、請求項１に記載の装置。
【請求項８】
前記第１の利得トランジスタと回路接地との間で結合され、前記第２の利得トランジスタに結合されたタップを備える、インダクタ
をさらに備える、請求項７に記載の装置。
【請求項９】
前記第１のカスコードトランジスタに結合された前記第１の帯域グループのための第１の変圧器と、
前記第２のカスコードトランジスタに結合された前記第２の帯域グループのための第２の変圧器と、
をさらに備える、請求項７に記載の装置。
【請求項１０】
前記第１の変圧器は、伝導レイヤ上で形成された第１の１次コイルを備え、前記第２の変圧器は、前記伝導レイヤ上の前記第１の１次コイル内で形成された第２の１次コイルを備える、請求項９に記載の装置。
【請求項１１】
前記少なくとも１つの利得トランジスタは、第３の帯域グループのための第３の利得トランジスタをさらに備え、前記複数のカスコードトランジスタは、前記第３の帯域グループのための第３のカスコードトランジスタをさらに備える、請求項７に記載の装置。
【請求項１２】
前記複数の帯域グループは、低帯域、中間帯域、および高帯域のうちの少なくとも１つを含む、請求項１に記載の装置。
【請求項１３】
増幅された信号を取得するために少なくとも１つの利得トランジスタのうちの１つを用いて入力無線周波数（ＲＦ）信号を増幅することと、
複数の帯域グループのうちの１つのために出力ＲＦ信号を取得するために前記複数の帯域グループのための複数のカスコードトランジスタのうちの１つを用いて前記増幅された信号をバッファリングすることと、
前記複数の帯域グループのために複数の利得トランジスタを備える前記少なくとも１つの利得トランジスタと、
異なるトランジスタのサイズ、または異なるバイアス電流、または両方を有する前記複数の利得トランジスタと、
を備える、方法。
【請求項１４】
前記少なくとも１つの利得トランジスタに結合されたインダクタを用いて前記１つの利得トランジスタのソースをデジェネレートすること
をさらに備える、請求項１３に記載の方法。
【請求項１５】
増幅されたＲＦ信号を取得するために、前記出力ＲＦ信号を前記複数の帯域グループのための複数の変圧器のうちの１つと結合すること
をさらに備える、請求項１３に記載の方法。
【手続補正２】
【補正対象書類名】明細書
【補正対象項目名】００７１
【補正方法】変更
【補正の内容】
【００７１】
[0080]  本開示の上述記載は、当業者が本開示を実施および使用することを可能にするために提供される。本開示に対する様々な変更は、当業者にとって容易に明らかであろう、また、ここで定義される一般的な原理は、本開示の範囲から逸脱することなく他の変更に適用されうる。したがって、本開示は、ここで説明される実例および設計に限定されるように意図されたものではなく、ここで開示された原理および新規の特徴と矛盾しない最大範囲であると認められるべきである。
以下に、本願出願の当初の特許請求の範囲に記載された発明を付記する。
［Ｃ１］
入力無線周波数（ＲＦ）信号を受信するように構成された少なくとも１つの利得トランジスタと、
前記少なくとも１つの利得トランジスタに結合され、複数の帯域グループのうちの１つのための出力ＲＦ信号を供給するように構成された、前記複数の帯域グループのための複数のカスコードトランジスタと、
を備える、装置。
［Ｃ２］
前記少なくとも１つの利得トランジスタは、前記複数の帯域グループのために複数の利得トランジスタを備える、Ｃ１に記載の装置。
［Ｃ３］
前記複数の利得トランジスタと回路接地とに結合された複数のタップを備えるインダクタ
をさらに備える、Ｃ２に記載の装置。
［Ｃ４］
前記複数の利得トランジスタと回路接地との間で結合された複数のインダクタ
をさらに備える、Ｃ２に記載の装置。
［Ｃ５］
前記少なくとも１つの利得トランジスタは、前記複数のカスコードトランジスタに結合された単一の利得トランジスタを備える、Ｃ１に記載の装置。
［Ｃ６］
前記複数のカスコードトランジスタのうちの少なくとも１つと前記少なくとも１つの利得トランジスタとの間で結合されたフィードバック回路
をさらに備える、Ｃ１に記載の装置。
［Ｃ７］
前記少なくとも１つの利得トランジスタに結合され、受信されたＲＦ信号を受信することと、前記入力ＲＦ信号を提供することとを行うように構成された、調節可能な整合回路
をさらに備える、Ｃ１に記載の装置。
［Ｃ８］
前記複数のカスコードトランジスタに結合された複数の変圧器をさらに備え、前記複数の変圧器の各々は、前記複数の帯域グループのうちの１つのために使用される、Ｃ１に記載の装置。
［Ｃ９］
前記少なくとも１つの利得トランジスタは、第１の帯域グループのための第１の利得トランジスタと、第２の帯域グループのための第２の利得トランジスタとを備え、前記複数のカスコードトランジスタは、前記第１の帯域グループのための第１のカスコードトランジスタと前記第２の帯域グループのための第２のカスコードトランジスタとを備える、Ｃ１に記載の装置。
［Ｃ１０］
前記第１の利得トランジスタと回路接地との間で結合され、前記第２の利得トランジスタに結合されたタップを備える、インダクタ
をさらに備える、Ｃ９に記載の装置。
［Ｃ１１］
前記第１のカスコードトランジスタに結合された前記第１の帯域グループのための第１の変圧器と、
前記第２のカスコードトランジスタに結合された前記第２の帯域グループのための第２の変圧器と、
をさらに備える、Ｃ９に記載の装置。
［Ｃ１２］
前記第１の変圧器は、伝導レイヤ上で形成された第１の１次コイルを備え、前記第２の変圧器は、前記伝導レイヤ上の前記第１の１次コイル内で形成された第２の１次コイルを備える、Ｃ１１に記載の装置。
［Ｃ１３］
前記少なくとも１つの利得トランジスタは、第３の帯域グループのための第３の利得トランジスタをさらに備え、前記複数のカスコードトランジスタは、前記第３の帯域グループのための第３のカスコードトランジスタをさらに備える、Ｃ９に記載の装置。
［Ｃ１４］
前記複数の利得トランジスタは、異なるトランジスタのサイズ、または異なるバイアス電流、または両方を有する、Ｃ２に記載の装置。
［Ｃ１５］
前記複数の帯域グループは、低帯域、中間帯域、および高帯域のうちの少なくとも１つを含む、Ｃ１に記載の装置。
［Ｃ１６］
増幅された信号を取得するために少なくとも１つの利得トランジスタのうちの１つを用いて入力無線周波数（ＲＦ）信号を増幅することと、
複数の帯域グループのうちの１つのために出力ＲＦ信号を取得するために前記複数の帯域グループのために複数のカスコードトランジスタのうちの１つを用いて前記増幅された信号をバッファリングすることと、
を備える、方法。
［Ｃ１７］
前記少なくとも１つの利得トランジスタに結合されたインダクタを用いて前記１つの利得トランジスタのソースをデジェネレートすること
をさらに備える、Ｃ１６に記載の方法。
［Ｃ１８］
増幅されたＲＦ信号を取得するために、前記出力ＲＦ信号を前記複数の帯域グループのための複数の変圧器のうちの１つと結合すること
をさらに備える、Ｃ１６に記載の方法。
［Ｃ１９］
入力無線周波数（ＲＦ）信号を受信するように構成された少なくとも１つの増幅する手段と、
前記少なくとも１つの増幅する手段に結合され、複数の帯域グループのうちの１つのための出力ＲＦ信号を提供するように構成された、前記複数の帯域グループのための複数のバッファリングする手段と、
を備える、装置。
［Ｃ２０］
前記少なくとも１つの増幅する手段は、前記複数の帯域グループのための複数の増幅する手段を備え、前記装置は、
前記複数の増幅する手段と回路接地とに結合された複数のタップを備えるソースデジェネレーション手段
をさらに備える、Ｃ１９に記載の装置。
［Ｃ２１］
前記複数のバッファリングする手段に結合された複数の変圧する手段をさらに備え、前記複数の変圧する手段の各々は、前記複数の帯域グループのうちの１つのために使用される、Ｃ１９に記載の装置。